(57)【要約】  【課題】管理室親機や外部装置より、居室親機に録画された訪問者画像や静止画像を消去できるようにする。  【解決手段】本発明の集合住宅インターホンシステムは、集合住宅の集合玄関に設置される集合玄関機１と、各住戸内に設置される複数の居室親機２ａ、２ｂ、・・・と、管理室内に設置される管理室親機３と、集合玄関機、居室親機および管理室親機をそれぞれ制御するための制御機４とを備える。  制御機４にはＲＳ２３２Ｃ等の通信プロトコルを使用して集合住宅のエレベータ、空調、照明、オートドア等の設備を管理する外部装置７と通信を行なうための通信回路４４を備え、居室親機は、居室親機で録画した画像を管理室親機あるいは外部装置の操作により消去可能な記憶部２９を備える。  【選択図】図１
2005217725.tif 000002
【特許請求の範囲】
【請求項１】
集合住宅の集合玄関に設置される集合玄関機（１）と、各住戸内に設置される複数の居室親機（２ａ、２ｂ、・・・）と、管理室内に設置される管理室親機（３）と、前記集合玄関機、前記居室親機および前記管理室親機をそれぞれ制御するための制御機（４）とを備え、
前記制御機にはＲＳ２３２Ｃ等の通信プロトコルを使用して前記集合住宅のエレベータ、空調、照明、オートドア等の設備を管理する外部装置（７）と通信を行なうための通信回路（４４）を備え、
前記居室親機は、前記居室親機で録画した画像を前記管理室親機の操作により消去可能な記憶部（２９）を備えたことを特徴とする集合住宅インターホンシステム。
【請求項２】
前記管理室親機は、前記居室親機で録画した画像を前記居室親機個別に又は一斉に消去を行なう操作部（３１）を有することを特徴とする請求項１記載の集合住宅インターホンシステム。
【請求項３】
前記管理室親機は、前記居室親機の画像の消去結果を表示して消去の成否が認識可能である表示部（３２）を有することを特徴とする請求項１又は請求項２記載の集合住宅インターホンシステム。
【請求項４】
前記管理室親機の操作による同様の消去処理を前記外部装置からの操作により行なうことを特徴とする請求項１又は請求項２記載の集合住宅インターホンシステム。
【発明の詳細な説明】
【技術分野】
【０００１】
本発明は集合住宅インターホンシステムに係り、特に、録画機能を搭載した居室親機を備える集合住宅インターホンシステムに関する。
【背景技術】
【０００２】
従来から、この種の集合住宅インターホンシステムとして、撮像手段及び呼び出しスイッチを備えたドアホンと、このドアホンに接続され、呼び出しスイッチに応答する応答手段を有する住戸内端末機とを備えた集合住宅インターホンシステムが知られている（例えば、特許文献１参照）。
【０００３】
ここで、住戸内端末機は、ドアホンからの呼び出しに対して応答し、通話が成立したかを判定する通話成立判定手段と、この通話成立判定手段により通話が成立しなかった場合には、撮像手段により撮像された来客者の画像を録画する手段とを具備したもので構成されている。
【０００４】
このような集合住宅インターホンシステムによれば、ドアホンからの呼び出しに対して応答がなく通話が成立しなかった場合には、来客の画像を録画することができる。
【０００５】
しかしながら、このような構成の集合住宅インターホンシステムでは、施工時の動作確認として居室親機に録画した静止画像等の個人情報や入居者の入れ替え時等において前入居者が居室親機に録画した静止画像等の個人情報を、当該住戸に入り居室親機を操作して消去しなければならないという難点あった。
【０００６】
【特許文献１】特開２００２−１１１８８３号公報  （段落番号「０００８」、図１）
【発明の開示】
【発明が解決しようとする課題】
【０００７】
本発明は、このような難点を解消するためになされたもので、管理室親機や外部装置より、居室親機に録画された訪問者画像や静止画像を消去することができ、また、画像を消去することができなかった居室親機を住戸番号にて確認することができる集合住宅インターホンシステムを提供することを目的とする。
【課題を解決するための手段】
【０００８】
本発明の第１の態様である集合住宅インターホンシステムは、集合住宅の集合玄関に設置される集合玄関機と、各住戸内に設置される複数の居室親機と、管理室内に設置される管理室親機と、集合玄関機、居室親機および管理室親機をそれぞれ制御するための制御機とを備え、制御機にはＲＳ２３２Ｃ等の通信プロトコルを使用して集合住宅のエレベータ、空調、照明、オートドア等の設備を管理する外部装置と通信を行なうための通信回路を備え、居室親機は、居室親機で録画した画像を管理室親機の操作により消去可能な記憶部を備えたものである。
【０００９】
本発明の第２の態様は、第１の態様である集合住宅インターホンシステムにおいて、管理室親機は、居室親機で録画した画像を居室親機個別に又は一斉に消去を行なう操作部を有するものである。
【００１０】
本発明の第３の態様は、第１または第２の態様である集合住宅インターホンシステムにおいて、管理室親機は、居室親機の画像の消去結果を表示して消去の成否が認識可能である表示部を有するものである。
【００１１】
本発明の第４の態様は、第１または第２の態様である集合住宅インターホンシステムにおいて、管理室親機の操作による同様の消去処理を外部装置からの操作により行なうものである。
【発明の効果】
【００１２】
本発明の第１の態様乃至第４の態様の集合住宅インターホンシステムによれば、管理室親機や外部装置からの操作により、居室親機で録画した訪問者画像および静止画像を居室親機個別に又は一斉に消去を行なうことができ、また、管理室親機の表示部に居室親機で録画した訪問者画像および静止画像の消去結果を表示させることにより、消去の成否を認識することができる。従って、本発明の集合住宅インターホンシステムによれば、当該住戸内に入らなくても、遠隔操作により居室親機で録画した静止画像等の個人情報の消去とその消去の成否を確認することが可能になる。
【発明を実施するための最良の形態】
【００１３】
以下、本発明の集合住宅インターホンシステムを適用した実施の形態例について、図面を参照して説明する。ここで、図１は、本発明の集合住宅インターホンシステムのブロック図を示している。
【００１４】
図１において、本発明の集合住宅インターホンシステムは、集合住宅の集合玄関に設置される集合玄関機１と、各住戸内に設置される複数の居室親機２ａ、２ｂ、・・・と、管理室内に設置される管理室親機３および映像制御機５と、管理室内に設置されＣＣＤカメラ等を搭載した映像送出機６と、集合玄関機１、複数の居室親機２ａ、２ｂ、・・・、管理室親機３および映像制御機５をそれぞれ制御するための制御機４と、集合住宅のエレベータ、空調、照明、オートドア等の設備を管理する外部装置７とを備えている。ここで、制御機４は第１の伝送路Ｌ１を介して集合玄関機１に、第２の伝送路Ｌ２を介して複数の居室親機２ａ、２ｂ、・・・に、第３の伝送路Ｌ３を介して管理室親機３に、第４の伝送路Ｌ４を介して映像制御機５に、第５の伝送路Ｌ５を介して外部装置７にそれぞれ接続され、また、映像制御機５は第１の映像路Ｌａを介して集合玄関機１に、第２の映像路Ｌｂを介して複数の居室親機２ａ、２ｂ、・・・に、第３の映像路Ｌｃを介して映像送出機６にそれぞれ接続されている。
【００１５】
集合玄関機１は、集合玄関機制御回路１０、操作部（以下「集合玄関機操作部」という。）１１、表示部（以下「集合玄関機表示部」という。）１２、通話部（以下「集合玄関機通話部」という。）１３、通信回路（以下「集合玄関機通信回路」という。）１４、音声合成回路（以下「集合玄関機音声合成回路」という。）１５、集合玄関機アンプ１６、集合玄関機スピーカ１７、映像回路（以下「集合玄関機映像回路」という。）１８およびカメラ１９の各部（回路）を備えている。ここで、集合玄関機制御回路１０は集合玄関機操作部１１、集合玄関機表示部１２、集合玄関機通話部１３、集合玄関機通信回路１４、集合玄関機音声合成回路１５および集合玄関機映像回路１８に接続され、集合玄関機音声合成回路１５には集合玄関機アンプ１６を介して集合玄関機スピーカ１７が接続され、集合玄関機映像回路１８にはカメラ１９が接続されている。
【００１６】
居室親機２ａ、２ｂ、・・・は、それぞれ同様の構成とされ、居室親機制御回路２０、操作部（以下「居室親機操作部」という。）２１、表示部（以下「居室親機表示部」）という。）２２、マイクおよびレシーバで構成される送受話器等から成る通話部（以下「居室親機通話部」という。）２３、通信回路（以下「居室親機通信回路」という。）２４、音声合成回路（以下「居室親機音声合成回路」という。）２５、居室親機アンプ２６、居室親機スピーカ２７、映像回路（以下「居室親機映像回路」という。）２８および記憶部（以下「居室親機記憶部」という。）２９の各部（回路）を備えている。ここで、居室親機制御回路２０は居室親機操作部２１、居室親機表示部２２、居室親機通話部２３、居室親機通信回路２４、居室親機音声合成回路２５、居室親機映像回路２８および居室親機記憶部２９に接続され、居室親機音声合成回路２５には居室親機アンプ２６を介して居室親機スピーカ２７が接続されている。
【００１７】
管理室親機３は、管理室親機制御回路３０、操作部（以下「管理室親機操作部」という。）３１、表示部（以下「管理室親機表示部」という。）３２、通話部（以下「管理室親機通話部」という。）３３、通信回路（以下「管理室親機通信回路」という。）３４、音声合成回路（以下「管理室親機音声合成回路」という。）３５、管理室親機アンプ３６および管理室親機スピーカ３７の各部（回路）を備えている。ここで、管理室親機制御回路３０は管理室親機操作部３１、管理室親機表示部３２、管理室親機通話部３３、管理室親機通信回路３４および管理室親機音声合成回路３５に接続され、管理室親機音声合成回路３５には管理室親機アンプ３６を介して管理室親機スピーカ３７が接続されている。
【００１８】
制御機４は、制御機制御回路４０、第１〜第４の通信回路（以下「制御機通信回路」という。）４１〜４４および住戸番号や暗証番号が記憶された記憶部（以下「制御機記憶部」という。４５の各部（回路）を備えている。ここで、制御機制御回路４０は第１〜第４の制御機通信回路４１〜４４および制御機記憶部４５に接続され、第１の制御機通信回路４１には第１の伝送路Ｌ１を介して集合玄関機通信回路１４が、第２の制御機通信回路４２には第２の伝送路Ｌ２を介して各居室親機２ａ、２ｂ、・・・の居室親機通信回路２４が、第３の制御機通信回路４３には第３の伝送路Ｌ３を介して管理室親機通信回路３４が、第４の制御機通信回路４４には第５の伝送路Ｌ５を介して外部装置７がそれぞれ接続されている。また、第４の制御機通信回路４４と外部装置７との間は、ＲＳ２３２Ｃなどの通信プロトコルを使用し、通信コマンドを公開することにより、本発明の集合住宅インターホンシステムへの外部接続が可能とされている。
【００１９】
次に、このように構成された本発明の集合住宅インターホンシステムの動作について説明する。なお、以下の実施例においては、居室親機２ａ（以下「第１の居室親機２ａ」という。）が設置されている住戸（以下「第１の住戸」という。）の部屋番号を１０１号室とし、居室親機２ｂ（以下「第２の居室親機２ｂ」という。）が設置されている住戸（以下「第２の住戸」という。）の部屋番号を１０２号室として説明する。
【００２０】
先ず、第１、第２の居室親機２ａ、２ｂ、・・・の各居室親機記憶部２９には、集合玄関機１のカメラ１９で撮像された訪問者画像や映像送出機６のカメラ（不図示）で撮像された集合住宅内の回覧情報等の静止画像等が蓄積されている。
【００２１】
このような状態において、例えば、第１の居室親機２ａで録画した静止画像などを個別に消去する場合は、管理人が管理室親機３の管理室親機操作部３１から、８桁の暗証番号を入力し、続いて消去対象である第１の住戸の部屋番号（以下「第１の住戸番号」という。）「０１０１」を順次入力すると、管理室親機制御回路３０から暗証番号および消去対象番号（以下「第１の消去対象番号」という。）を含有する制御信号（以下「第１の制御信号」という。）が出力され、この第１の制御信号が管理室親機通信回路３４、第３の伝送路Ｌ３および第３の制御機通信回路４３を介して制御機制御回路４０へ伝送される。かかる第１の制御信号が制御機制御回路４０で検出されると、第１の制御信号に含有されている暗証番号および第１の消去対象番号と制御機記憶部４５に予め記憶された暗証番号および第１の住戸番号とが照合され、両者の番号が一致すると、制御機制御回路４０から第１の住戸番号を含有する消去実行信号（以下「第１の消去実行信号」という。）および消去コマンド（以下「第１の消去コマンド」という。）が出力され、前者の第１の消去実行信号が前述の第１の制御信号と逆の経路を経由して管理室親機制御回路３０へ伝送される。かかる第１の消去実行信号が管理室親機制御回路３０で検出されると、管理室親機制御回路３０の制御により、管理室親機表示部３２に例えば「第１の居室親機２ａの消去実行中」等の文字等が表示される。これにより、管理人は第１の居室親機２ａの画像の消去が実行されていることを認識することができる。
【００２２】
また、後者の第１の消去コマンドは、第２の制御機通信回路４２、第２の伝送路Ｌ２および第１の居室親機２の居室親機通信回路（以下「第１の居室親機通信回路」という。）２４を介して第１の居室親機２ａの居室親機制御回路（以下「第１の居室親機制御回路」という。）２０へ伝送される。かかる第１の消去コマンドが第１の居室親機制御回路２０で検出されると、第１の居室親機制御回路２０の制御により、居室親機記憶部（以下「第１の居室親機記憶部」という。）２９の静止画像領域が消去される。そして、第１の居室親機記憶部２９の静止画像領域の消去が終了すると、第１の居室親機制御回路２０から消去終了コマンド（以下「第１の消去終了コマンド」という。）が出力され、この第１の消去終了コマンドが前述の第１の消去コマンドと逆の経路を経由して制御機制御回路４０へ伝送され、さらに、この制御機制御回路４０を介して前述の第１の制御信号と逆の経路を経由して管理室親機制御回路３０へ伝送される。かかる第１の消去終了コマンドが管理室親機制御回路３０で検出されると、管理室親機制御回路３０の制御により、管理室親機表示部３２に例えば「第１の居室親機２ａの消去終了」等の文字等が表示される。これにより、管理人は第１の居室親機２ａの画像の消去が終了したことを認識することができる。
【００２３】
次に、複数の居室親機２ａ、２ｂ、・・・の画像を一斉に消去する場合について説明する。ここで、各住戸を一斉に消去する番号（以下「一斉住戸番号」という。）として、各居室親機２ａ、２ｂ、・・・のいずれにも該当しない番号、例えば、「００００」を選択するものとする。
【００２４】
まず、管理室親機３の管理室親機操作部３１から、８桁の暗証番号および一斉住戸番号「００００」を順次入力すると、管理室親機制御回路３０から暗証番号および一斉住戸番号（以下「一斉消去番号」という。）を含有する制御信号（以下「第２の制御信号」という。）が出力され、この第２の制御信号が前述の第１の制御信号と同様の経路を経由して制御機制御回路４０へ伝送される。かかる第２の制御信号が制御機制御回路４０で検出されると、第２の制御信号に含有されている暗証番号および一斉消去番号と制御機記憶部４５に予め記憶された暗証番号および一斉住戸番号とが照合され、両者の番号が一致すると、制御機制御回路４０から、次のように特定の住戸の番号を含有する消去実行信号（以下「特定消去実行信号」という。）および消去コマンド（以下「特定消去コマンド」という。）が順次出力され、前者の特定消去実行信号が前述の第１の制御信号と逆の経路を経由して管理室親機制御回路３０へ、後者の特定消去コマンドが前述の第１の消去コマンドと同様の経路を経由して特定の居室親機へ伝送される。
【００２５】
すなわち、例えば特定の住戸が第１の住戸とすると、前述と同様に第１の住戸番号を含有する特定消去実行信号（以下「第１の特定消去実行信号」という。）および特定消去コマンド（以下「第１の特定消去コマンド」という。）が出力され、前者の第１の特定消去実行信号が前述の第１の制御信号と逆の経路を経由して管理室親機制御回路３０へ、後者の第１の特定消去コマンドが前述の第１の消去コマンドと同様の経路を経由して第１の居室親機２ａへ伝送される。
【００２６】
そして、かかる第１の特定消去実行信号が管理室親機制御回路３０で検出されると、管理室親機制御回路３０の制御により、前述と同様に管理室親機表示部３２に例えば「第１の居室親機２ａの消去実行中」等の文字等が表示される。
【００２７】
一方、第１の特定消去コマンドが第１の居室親機制御回路２０で検出されると、第１の居室親機制御回路２０の制御により、前述と同様に第１の居室親機記憶部２９の静止画像領域が消去される。そして、第１の居室親機記憶部２９の静止画像領域の消去が終了すると、第１の居室親機制御回路２０から消去終了コマンド（以下「第１の消去終了コマンド」という。）が出力され、この第１の消去終了コマンドが前述の第１の消去コマンドと逆の経路を経由して制御機制御回路４０へ伝送され、さらに、この制御機制御回路４０を介して前述の第１の制御信号と逆の経路を経由して管理室親機制御回路３０へ伝送される。かかる第１の消去終了コマンドが管理室親機制御回路３０で検出されると、管理室親機制御回路３０の制御により、前述と同様に管理室親機表示部３２に例えば「第１の居室親機２ａの消去終了」等の文字等が表示される。
【００２８】
以上のようにして、第１の居室親機２ａの録画の消去が終了すると、制御機制御回路４０から、第２の住戸番号を含有する消去実行信号（以下「第２の特定消去実行信号」という。）および消去コマンド（以下「第２の特定消去コマンド」という。）が順次出力され、前者の第２の特定消去実行信号が前述の第１の制御信号と同様にして管理室親機制御回路３０へ、後者の第２の特定消去コマンドが前述の第１の消去コマンドと同様にして特定の居室親機へ伝送される。これにより、前述と同様にして第２の特定消去実行信号が管理室親機制御回路３０へ、第２の特定消去コマンドが第２の居室親機へそれぞれ伝送される。
【００２９】
そして、かかる第２の特定消去実行信号が管理室親機制御回路３０で検出されると、管理室親機制御回路３０の制御により、前述と同様に管理室親機表示部３２に例えば「第２の居室親機の消去実行中」等の文字等が表示される。また、第２の特定消去コマンドが第２の居室親機の居室親機制御回路（以下「第２の居室親機制御回路」という。）で検出されると、第２の居室親機制御回路の制御により、第２の居室親機の居室親機記憶部（以下「第２の居室親機記憶部」という。）の静止画像領域が消去され、第２の居室親機記憶部２９の静止画像領域の消去が終了すると、第２の居室親機制御回路から消去終了コマンド（以下「第２の消去終了コマンド」という。）が出力され、この第２の消去終了コマンドが前述の第１の消去コマンドと同様にして管理室親機制御回路３０へ伝送され、かかる第２の消去終了コマンドが管理室親機制御回路３０で検出されると、管理室親機制御回路３０の制御により、前述と同様に管理室親機表示部３２に例えば「第２の居室親機の消去終了」等の文字等が表示される。
【００３０】
同様にして、制御機制御回路４０から、第２の住戸に隣接する住戸（以下「第３の住戸」という。）の番号（以下「第３の住戸番号」という。）を含有する消去実行信号（以下「第３の特定消去実行信号」という。）および消去コマンド（以下「第３の特定消去コマンド」という。）が出力されるが、例えば第３の住戸に設置されている居室親機（以下「第３の居室親機」という。）（不図示）から制御機制御回路４０に対して第３の居室親機の画像を消去した旨のコマンド（以下「第３の消去終了コマンド」という。）が伝送されない場合、若しくは第３居室親機から消去が失敗した旨のコマンド（以下「第３の消去失敗コマンド」）が伝送された場合は、制御機制御回路４０から消去に失敗した第３の住戸番号を含有する制御信号（以下「消去失敗制御信号」という。）が前述の第１の制御信号と同様の経路を経由して管理室親機制御回路３０へ伝送される。かかる消去失敗制御信号が管理室親機制御回路３０で検出されると、管理室親機制御回路３０の制御により、管理室親機表示部３２に画像の消去に失敗した第３の住戸番号が表示される。
【００３１】
また、制御機制御回路４０において、設定されている全ての居室親機に対する消去コマンドの送信が終了すると、制御機制御回路４０から画像の消去が完了した住戸の数を含有する信号（以下「消去完了住戸数信号が出力され、この消去完了住戸数信号が前述の第１の制御信号と同様の経路を経由して管理室親機制御回路３０へ伝送される。これにより、管理室親機表示部３２に、画像の消去が完了した住戸数が表示される。
【産業上の利用可能性】
【００３２】
前述の実施例においては、管理室親機３の管理室親機操作部３１において、居室親機２ａ、２ｂ、・・・で録画した画像を個別に又は一斉に消去する場合について述べているが、本発明はこれに限定されず、例えばパソコン等の外部装置７の操作部（不図示）において、前述の管理室親機操作部３１における操作と同様の操作を行うことにより、居室親機２ａ、２ｂ、・・・で録画した画像を個別に又は一斉に消去するようにしてもよい。
【図面の簡単な説明】
【００３３】
【図１】本発明の集合住宅インターホンシステムの一実施例を示すブロック図。
【符号の説明】
【００３４】
１・・・集合玄関機
２ａ、２ｂ・・・居室親機
２９・・・記憶部（居室親機記憶部）
３・・・管理室親機
３１・・・操作部（管理室親機操作部）
３２・・・表示部（管理室親機表示部）
４・・・制御機
４４・・・通信回路（制御機通信回路）
５・・・映像制御機
６・・・映像送出機
７・・・外部装置
Ｌ１、Ｌ２、Ｌ３・・・伝送路
Ｌａ、Ｌｂ、Ｌｃ・・・映像路
【図１】
2005217725.tif 000003